(57)【特許請求の範囲】
【請求項１】
光ケーブル固定金具に、光ケーブルのテンションメンバを水平方向に挿入する挿入孔と、この挿入孔に上部から垂直に連通するネジ孔とが形成され、前記挿入孔に前記テンションメンバを挿入し前記ネジ孔にネジを締結することで、前記テンションメンバを固定する場合に、前記ネジの締付け不足を防止する光ケーブル固定金具締付け不足防止構造であって、
前記光ケーブル固定金具に装着するカバーを有した構造であり、当該カバーは、
前記挿入孔に挿入された前記テンションメンバの終端面に対向して配設される正面板と、この正面板の両側から各々平行して前記挿入孔側に延びる一対の側面板と、を有する本体と、
前記本体の正面板の上端部に回動自在に配設され、前記側面板の上方を開閉する上面板と、この上面板からＬ字状に屈曲して前記側面板の先端側を開閉する背面板と、を有する蓋体と、を備え、
前記蓋体は、閉塞時に前記本体に設けた係合部を通過して閉塞状態に保持され、前記ネジが締付け不足の場合に、当該ネジに前記上面板が当接して前記係合部を通過せず閉まらないようになっている、
ことを特徴とする光ケーブル固定金具締付け不足防止構造。
【請求項２】
前記係合部は前記本体の側面板の内側両面先端に各々突出させて設けた突起であり、前記蓋体の閉塞時に前記背面板が前記突起を乗り越えて閉塞することで、前記蓋体の閉塞状態を検出する、
ことを特徴とする請求項１に記載の光ケーブル固定金具締付け不足防止構造。
【請求項３】
前記突起は、前記背面板が乗り越える際に前記側面板を外側に付勢させ、乗り越えた後に前記側面板の付勢が解除されて前記背面板の側面に当接して当接音を発生させるように、形成されている、
ことを特徴とする請求項２に記載の光ケーブル固定金具締付け不足防止構造。
【発明の詳細な説明】
【技術分野】
【０００１】
この発明は、光ケーブルを固定するクロージャ内での光ケーブル固定金具による締付け不足を防止するための光ケーブル固定金具締付け不足防止構造に関する。
【背景技術】
【０００２】
従来、電柱建替があると光ケーブルを移設する必要があるが、その場合、クロージャを保護せずに開放して光ケーブルを新しい電柱へ添架している。このクロージャ内では、光ケーブル先端の露出したテンションメンバを、上下二枚の固定プレートで挟み込み係合ネジにより固定する光ケーブル固定金具の把持構造がよく用いられている（例えば、特許文献１参照。）。
【０００３】
しかしながら、クロージャ内で光ケーブル固定金具の締付けが不十分であると、クロージャ内で固定した光ケーブルが光ケーブル固定金具から抜けて損傷し、ＦＴＴＨ（Ｆｉｂｅｒ  Ｔｏ  Ｔｈｅ  Ｈｏｍｅ）などの回線断が発生するおそれがある。しかも、インターネット回線であると、回線停止がすぐにわからず、作業員も気がつかずに光ケーブルの移設工事を完了してしまい、原因がすぐにつかめず回線復旧に時間がかかってしまう場合がある。
【０００４】
そこで、このような不具合を回避する構造として、光ケーブル固定金具を堅固なものにして抜けにくく留めるのを忘れない構造（例えば、特許文献２参照。）、または強固に光ケーブルを固定する構造（例えば、特許文献３、４参照。）などの光ケーブル固定金具締付け不足防止構造（把持構造）が知られている。
【先行技術文献】
【特許文献】
【０００５】
【特許文献１】特許第３７６５８７７号
【特許文献２】特開２００８−２９２５１２号公報
【特許文献３】実登第２５８５４２４号
【特許文献４】特開２００１−２４９２３２号公報
【発明の概要】
【発明が解決しようとする課題】
【０００６】
ところで、従来の光ケーブル固定金具（特許文献１）では、光ケーブル移設前にクロージャを開けてテンションメンバの締付けを確認すれば、当該締付け不足による光ケーブルの外れによって光心線に損傷を与えることを防げるが、その度にクロージャを開けることは現実的ではない。
【０００７】
また、光ケーブルが抜けにくい構造（把持構造）にする従来技術（特許文献２〜４）では、いずれもヒューマンエラーにより光ケーブル固定金具の締付けが不足している場合には、心線の損傷を発生させる可能性が残る。
【０００８】
そこでこの発明は、光ケーブル固定金具の締付け不足を容易に確認でき、光心線に損傷を与えることなく、回線障害を与える可能性を低減できる、光ケーブル固定金具締付け不足防止構造を提供することを目的としている。
【課題を解決するための手段】
【０００９】
前記の課題を解決するために、請求項１の発明は、光ケーブル固定金具に、光ケーブルのテンションメンバを水平方向に挿入する挿入孔と、この挿入孔に上部から垂直に連通するネジ孔とが形成され、前記挿入孔に前記テンションメンバを挿入し前記ネジ孔にネジを締結することで、前記テンションメンバを固定する場合に、前記ネジの締付け不足を防止する光ケーブル固定金具締付け不足防止構造であって、前記光ケーブル固定金具に装着するカバーを有した構造であり、当該カバーは、前記挿入孔に挿入された前記テンションメンバの終端面に対向して配設される正面板と、この正面板の両側から各々平行して前記挿入孔側に延びる一対の側面板と、を有する本体と、前記本体の正面板の上端部に回動自在に配設され、前記側面板の上方を開閉する上面板と、この上面板からＬ字状に屈曲して前記側面板の先端側を開閉する背面板と、を有する蓋体と、を備え、前記蓋体は、閉塞時に前記本体に設けた係合部を通過して閉塞状態に保持され、前記ネジが締付け不足の場合に、当該ネジに前記上面板が当接して前記係合部を通過せず閉まらないようになっている、ことを特徴する。
【００１０】
この発明によれば、光ケーブル固定金具に装着されるカバーの蓋体が、ネジの締付けが不足している場合、当該ネジに上面板が当接して閉まらないことで締付け不足を検出する構造であって、かつ蓋体の閉塞状態を本体の係合部通過により確認できるため、ネジの締付け不足を蓋体の閉塞状態で認識できる。
【００１１】
請求項２の発明は、請求項１に記載の光ケーブル固定金具用のカバーにおいて、前記係合部は前記本体の側面板の内側両面先端に各々突出させて設けた突起であり、前記蓋体の閉塞時に前記背面板が前記突起を乗り越えて閉塞することで、前記蓋体の閉塞状態を検出する、ことを特徴とする。
【００１２】
この発明によれば、蓋体の閉塞時に背面板が本体の側面板に設けた突起を乗り越えて閉塞するため、蓋体の閉塞状態すなわちネジの締付け不足状態を、背面板が突起を乗り越えた感覚（触覚）で容易に認識できる。
【００１３】
請求項３の発明は、請求項２に記載の光ケーブル固定金具用のカバーにおいて、前記突起は、前記背面板が乗り越える際に前記側面板を外側に付勢させ、乗り越えた後に前記側面板の付勢が解除されて前記背面板の側面に当接して当接音を発生させるように、形成されている、ことを特徴とする。
【００１４】
この発明によれば、蓋体の閉塞時に本体の側面板の突起を乗り越える感覚だけでなく、閉塞時に当接音を発生させることで、乗り越える感覚に加えて当接音による聴覚でネジの締付け不足状態を容易に認識できる。
【発明の効果】
【００１５】
請求項１に記載の発明によれば、光ケーブル固定金具に装着されるカバーの蓋体が閉塞時に、本体の係合部を通過する閉塞状態により、光ケーブル固定金具に締結するネジの締付け不足で上面板がネジに当接して閉まらない状態を検出でき、これによりネジの締付け不足を確実に防ぐことができる。また、ネジの締付け不足を防げることで、光ケーブルが光ケーブル固定金具から抜けることによる回線障害を防止することができる。
【００１６】
請求項２に記載の発明によれば、蓋体の閉塞時に背面板が本体の側面板の突起を乗り越えて閉塞するため、蓋体の開閉状態すなわちネジの締付け不足を閉塞時の感覚により容易に判断でき、ネジの締付け不足を確実に防ぐことができる。
【００１７】
請求項３に記載の発明によれば、蓋体の閉塞時に本体の側面板の突起を乗り越える感覚だけでなく、閉塞時に当接音を発生させることで、乗り越える感覚に加えて当接音による聴覚でネジの締付け不足状態を容易に判断できるため、より正確かつ容易な判断が可能になる。
【図面の簡単な説明】
【００１８】
【図１】この発明の実施の形態に係る光ケーブル固定金具締付け不足防止構造の全体レイアウトを示す斜視図である。
【図２】図１のカバーを示す平面図であり、（ａ）は正面図を、（ｂ）は側面図を各々示している。
【図３】図２のカバーの蓋体を閉じた状態を示す平面図であり、（ａ）は正面図を、（ｂ）は側面図を、（ｃ）は背面図を各々示している。
【図４】図１のカバーを光ケーブル固定金具に装着する動作を示す動作説明図であり、（ａ）は装着前の状態を、（ｂ）は装着した状態を各々示している。
【図５】図４（ｂ）の蓋体を閉塞した状態を示す側部断面図であり、（ａ）はネジの正常な締付け状態を、（ｂ）はネジの締付け不足の状態を各々示している。
【発明を実施するための形態】
【００１９】
以下、この発明を図示の実施の形態に基づいて説明する。図１は、この発明の実施の形態に係る光ケーブル固定金具締付け不足防止構造の全体レイアウトを示す斜視図である。図１に示すように、符号１は光ケーブルの露出したテンションメンバ、符号２はテンションメンバを挿入して固定する光ケーブル固定金具、符号３は光ケーブル固定金具に締結するネジ、符号１０は光ケーブル固定金具に装着するカバーである。すなわち、本実施の形態は、光ケーブルの露出したテンションメンバ１を挿入して固定する光ケーブル固定金具２において、ネジ３によるテンションメンバ１の締付け不足を防止するため、光ケーブル固定金具２に装着されるカバー１０を有した構造であって、このカバー１０を装着することで、ネジ３の締付け不足を確認できてネジ３の締付け不足を防ぐとともに、回線障害を与える可能性を低減することを目的としている。
【００２０】
この際、光ケーブル固定金具２は、従来技術と同様にネジ３の締付けにより光ケーブル（テンションメンバ１）を固定する構造であって、この光ケーブルの露出したテンションメンバ１を固定する場合、図１に示すようにテンションメンバ１を水平方向の挿入孔２ａに挿入し、この挿入孔２ａに上部から垂直に連通するネジ孔２ｂにネジ３を締結することで、テンションメンバ１に当接させて固定する構造である。
【００２１】
ここで、カバー１０について図２および図３を参照して説明する。図２は、図１のカバー１０を示す平面図であり、（ａ）は正面図を、（ｂ）は側面図を各々示している。また、図３は、図２のカバー１０の蓋体１２を閉じた状態を示す平面図であり、（ａ）は正面図を、（ｂ）は側面図を、（ｃ）は背面図を各々示している。まず、図１に示すように、カバー１０は、光ケーブル固定金具２に装着されるものであって、光ケーブル固定金具２の底面、正面、側面を各々囲むように形成された本体１１と、この本体１１の上端に回動可能に枢支されて上面、背面を囲むように開閉する蓋体１２と、により構成されている。ここで、底面、正面、側面、上面、背面とは、テンションメンバ１の挿入方向と逆方向に装着されるカバー１０の装着方向に対する各面を示している。
【００２２】
この本体１１は、テンションメンバ１を挿入した終端の光ケーブル固定金具２端面（カバー１０の装着方向正面）に沿って延在する正面板１１ａと、この正面板１１ａの下端からＬ字状に屈曲して光ケーブル固定金具２の底部に延在する底面板１１ｂと、正面板１１ａの上方両側から各々平行して底面板１１ｂの延在方向に延在する一対の側面板１１ｃと、を一体に形成している。
【００２３】
一方、蓋体１２は、本体１１の正面板１１ａの上端部に回動自在に配設され、側面板１１ｃの上面を開閉する上面板１２ａと、この上面板１２ａからＬ字状に屈曲して側面板１１ｃの先端側背面（カバー１０の装着方向正面に対向する背面）を開閉する背面板１２ｂと、を一体に形成している。
【００２４】
このカバー１０は、図２（ｂ）に示すように、本体１１の上端部のヒンジ部Ａにより蓋体１２が回動自在で、この蓋体１２が回動して閉塞した時に確認できるように、図２（ａ）に示すように、側面板１１ｃの平行する内側両面先端に各々突出する突起（係合部）１１ｄが設けられている。つまり、蓋体１２の背面板１２ｂが突起１１ｄを乗り越えることで、閉塞状態を確認できるようになっている。
【００２５】
また、カバー１０には、図２（ａ）に示す正面板１１ａのほぼ中央部に貫通する貫通孔Ｂが設けられている。この貫通孔Ｂは、図１に示す光ケーブル固定金具２の挿入孔２ａに挿入したテンションメンバ１端部を挿入できるように開口しており、挿入孔２ａの位置に合わせて開口されている。
【００２６】
また、カバー１０は、図３に示すように、本体１１の上端を蓋体１２により閉塞した場合、図３（ｂ）に示す本体１１の底面板１１ｂと、蓋体１２の上面板１２ａとの間の高さＨが、図１に示す光ケーブル固定金具２の底面から、テンションメンバ１を固定するため締結したネジ３の上端までの高さに合わせて形成されている。すなわち、光ケーブル固定金具２にテンションメンバ１をネジ３の締結により適正に固定した状態で、カバー１０を装着して蓋体１２を閉塞した場合、図３（ｂ）に示す高さＨ内に光ケーブル固定金具２とネジ３とが収納され、締付け不足でネジ３が突出している場合、高さＨ内に収まらず蓋体１２が閉まらない構造に形成されている。
【００２７】
従って、本実施の形態では、前述した高さＨを、光ケーブル固定金具２の底面からネジ３を正常に締付けた状態の上端までの高さに一致させることで、蓋体１２の開閉によってネジ３の締付け不足を検出でき、結果的にカバー１０の装着とともに締付け不足を確認できるように形成されている。
【００２８】
次に、このような構成のカバー１０を光ケーブル固定金具２に装着する動作について、図４を参照して説明する。図４は、図１のカバー１０を光ケーブル固定金具２に装着する動作を示す動作説明図であり、（ａ）は装着前の状態を、（ｂ）は装着した状態を各々示している。まず、図１に示す状態から、光ケーブル固定金具２の挿入孔２ａにテンションメンバ１を挿入し、この挿入孔２ａに対し垂直に連通するネジ孔２ｂにネジ３を規定トルクで締結させる。これにより光ケーブル固定金具２には、図４（ａ）に示すように、光ケーブルのテンションメンバ１が固定される。その後、図４（ｂ）に示すように、光ケーブル固定金具２にカバー１０を装着する。
【００２９】
この際、図２（ａ）に示す正面板１１ａの中央に設けた貫通孔Ｂに、テンションメンバ１を貫通（図５参照）させる。これにより、カバー１０は、側面板１１ｃにより図４（ｂ）に示すＸ方向のズレが固定され、図４（ａ）に示す底面板１１ｂにより図４（ｂ）に示すＹ方向の上向きのズレが固定される。そして、カバー１０は、蓋体１２を閉塞することで、図４（ｂ）に示すＸＹＺの全ての方向が固定されて光ケーブル固定金具２に装着することができる。
【００３０】
ここで、カバー１０の光ケーブル固定金具２への固定は、本体１１の底面板１１ｂを光ケーブル固定金具２とクロージャの底板とで挟持したり、本体１１の正面板１１ａなどを光ケーブル固定金具２にネジ止めしたりすることで行う。また、挿入孔２ａにテンションメンバ１を挿入する前に、挿入孔２ａに貫通孔Ｂを合わせて、カバー１０を光ケーブル固定金具２に装着してもよい。
【００３１】
次に、図４（ｂ）に示す状態から蓋体１２を閉塞する動作について、図５を参照して説明する。図５は、図４（ｂ）の蓋体１２を閉塞した状態を示す側部断面図であり、（ａ）はネジ３の正常な締付け状態を、（ｂ）はネジ３の締付け不足の状態を各々示している。まず、図４（ｂ）に示す状態から蓋体１２を閉塞した場合、このカバー１０の側面板１１ｃの内側両面に各々突出させた突起１１ｄにより、閉塞時に背面板１２ｂが突起１１ｄを乗り越えて通過することで閉塞し、蓋体１０の閉塞状態を検出できる。この際、突起１１ｄは、突出形状や高さを調節して形成され、背面板１２ｂが乗り越える際に側面板１１ｃを外側に付勢し、乗り越えた後に側面板１１ｃの付勢が解除されて背面板１２ｂの側面に当接して当接音を発生できるように形成している。すなわち、突起１１ｄの乗り越える感覚（触覚）に加え、当接音の発生による聴覚を含めて、両方で締付け不足の確認が可能になる。
【００３２】
そして、蓋体１２は、図５に示すように、ヒンジ部Ａをネジ３の近くに配置することで、ネジ３の締付け高さの変化を上面板１２ａで検出するように形成されている。このネジ３の締付け高さの変化は、ネジ３と蓋体１２との位置から離隔した突起１１ｄに現れ、図５（ｂ）に示す締付け不足の場合は完全に蓋体１２が閉まらないようになっている。すなわち、蓋体１２の閉塞固定機構である突起１１ｄは、ネジ３から離した位置に設けることで、ネジ３の締結高さに対する変化を拡大し嵌合状態（乗り越え状態）の判断を補助する。
【００３３】
従って、蓋体１２は、図５（ａ）に示すネジ３がテンションメンバ１を十分に固定した正規な締付け状態では閉塞し、図５（ｂ）に示すネジ３がテンションメンバ１に十分に当接していない締付け不足の状態では閉まらない。このように、蓋体１２の開閉状態によりネジ３の締付け状態が容易に確認できる。
【００３４】
以上のように、この光ケーブル固定金具締付け不足防止構造によれば、光ケーブル固定金具２に装着されるカバー１０の蓋体１２が閉塞時に、本体１１の突起１１ｄを通過する閉塞状態によって、光ケーブル固定金具２に締結するネジ３の締付け不足で上面板１２ａがネジ３に当接して閉まらない状態を検出でき、これによりネジ３の締付け不足を確実に防ぐことができる。また、ネジ３の締付け不足を防げることで、光ケーブルが光ケーブル固定金具２から抜けることによる回線障害を防止することができる。
【００３５】
また、蓋体１２の閉塞時に背面板１２ｂが本体１１の側面板１１ｃの突起１１ｄを乗り越えて閉塞するため、蓋体１２の開閉状態すなわちネジ２の締付け不足を閉塞時の感覚（触覚）により容易に判断でき、ネジ３の締付け不足を確実に防ぐことができる。しかも、蓋体１２の閉塞時に本体１１の側面板１１ｃの突起１１ｄを乗り越える感覚だけでなく閉塞時に当接音を発生させることで、乗り越える感覚に加えて当接音による聴覚でネジ３の締付け不足状態を容易に判断できるため、より正確かつ容易な判断が可能になる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、テンションメンバ１が単線で１台
の光ケーブル固定金具２について説明したが、光ケーブル固定金具２を複数台有してテンションメンバ１を複数本締付け可能な場合にも、適用することができる。その場合、カバー１０は、誤認防止として蓋体１２に彩色とサイズとを記入することが好ましい。また、光ケーブルの異なる直径に合わせて、各種カバー１０を複数設けてもよい。
【符号の説明】
【００３７】
１        テンションメンバ
２        光ケーブル固定金具
２ａ      挿入孔
２ｂ      ネジ孔
３        ネジ
１０      カバー
１１      本体
１１ａ    正面板
１１ｂ    底面板
１１ｃ    側面板
１１ｄ    突起
１２      蓋体
１２ａ    上面板
１２ｂ    背面板
【図１】
0005389141.tif 000002
【図２】
0005389141.tif 000003
【図３】
0005389141.tif 000004
【図４】
0005389141.tif 000005
【図５】
0005389141.tif 000006